(57)【要約】【課題】印刷媒体に印刷エラーが生じた際にも、新たにＲＦＩＤタグに情報を書き込みする必要がないとともに、印刷媒体に対するＲＦＩＤタグの貼付け、印刷媒体の印刷後に行うため、熱損傷や或いは機械的損傷を受けることがないＲＦＩＤタグ自動貼付け印刷装置を提供する。【解決手段】印刷装置は、印刷媒体に印刷データを印刷する印刷部１００と、印刷部１００が印刷した印刷媒体１１０に対して、ＲＦＩＤタグ２２０を貼付けするタグ貼着部２００と、印刷部１００の印刷エラーを検出する検出器１２０を備えている。印刷装置は、検出器１２０が印刷エラーを検出した際には、タグ貼着部２００での貼着を無効化するとともに、印刷エラーが生じていない場合には、タグ貼着部２００によるＲＦＩＤタグ２２０の印刷媒体１１０への貼着を行わせる制御部を備える。【選択図】図１
2010231704.tif 000002
【特許請求の範囲】
【請求項１】
印刷媒体に印刷データを印刷する印刷手段と、
前記印刷手段が印刷した印刷媒体に対して、ＲＦＩＤタグを貼付けするタグ貼着手段と、
前記印刷手段の印刷エラーを検出するエラー検出手段と、
前記エラー検出手段が印刷エラーを検出した際には、前記タグ貼着手段での貼着を無効化するとともに、印刷エラーが生じていない場合には、前記タグ貼着手段によるＲＦＩＤタグの印刷媒体への貼着を行わせる制御手段とを備えたことを特徴とするＲＦＩＤタグ自動貼付け印刷装置。
【請求項２】
前記ＲＦＩＤタグに、少なくともＩＤ情報データを書き込みする書き込み手段を備え、
前記制御手段は、前記エラー検出手段による印刷エラーの検出があるときには、前記書き込み手段による前記ＲＦＩＤタグに対する書き込みを無効化し、前記エラー検出手段による印刷エラーの検出がないときには、前記ＲＦＩＤタグに対するＩＤ情報データを書き込みを許容するとともに、前記タグ貼着手段によるＲＦＩＤタグの印刷媒体への貼着を行わせることを特徴とする請求項１に記載のＲＦＩＤタグ自動貼付け印刷装置。
【請求項３】
前記書き込み手段は、前記タグ貼着手段による印刷媒体に対するＲＦＩＤタグの貼着の後、前記印刷媒体に貼着されたＲＦＩＤタグに書き込み可能に配置されていることを特徴とする請求項２に記載のＲＦＩＤタグ自動貼付け印刷装置。
【請求項４】
前記書き込み手段は、前記タグ貼着手段による印刷媒体に対するＲＦＩＤタグの貼着される前に、ＲＦＩＤタグに書き込み可能に配置され、
書き込みされたＲＦＩＤタグを前記タグ貼着手段が、印刷媒体に対して貼着可能に配置されていることを特徴とする請求項２に記載のＲＦＩＤタグ自動貼付け印刷装置。
【請求項５】
前記制御手段は、ＲＦＩＤタグの貼着指令の有無に応じて、印刷が終了した印刷媒体に対する前記タグ貼着手段の貼着作動の有効化、又は無効化を行うことを特徴とする請求項１乃至請求項４のいずれか１項に記載のＲＦＩＤタグ自動貼付け印刷装置。
【発明の詳細な説明】
【技術分野】
【０００１】
本発明は、ＲＦＩＤタグ自動貼付け印刷装置に関する。
【背景技術】
【０００２】
従来、印刷装置にリーダ／ライタを備えたシステムが提案されている（特許文献１，２，３）。このシステムでは、紙等の印刷媒体に対しＲＦＩＤタグを設けておき、前記印刷媒体の印刷時にＲＦＩＤタグに対して該印刷媒体に印刷する内容の情報、又は該印刷に関係する情報、例えば、配布者、配布日時、配布場所等の各種情報、及び印刷媒体に設けられた一意のＩＤ情報を前記リーダ／ライタにより書き込みする。
【０００３】
このように印刷媒体に前記ＲＦＩＤタグを備えることにより、印刷媒体及び印刷された内容等の管理ができる。
【先行技術文献】
【特許文献】
【０００４】
【特許文献１】特開２００４−３１０２９３号公報
【特許文献２】特開２００６−４８４９１号公報
【特許文献３】特開２００７−１６４４２６号公報
【発明の概要】
【発明が解決しようとする課題】
【０００５】
しかし、ＲＦＩＤタグは、熱に弱く、例えば、印刷装置がレーザプリンタの場合、トナーを印刷媒体に定着させるために加熱処理が行われるため、この加熱時に、ＲＦＩＤが損傷する虞がある。又、印刷装置において、ローラで巻かれた状態で印刷媒体が搬送されることも多く、このような場合、ローラで印刷媒体が巻かれることにより、印刷媒体に設けられた前記ＲＦＩＤタグに械的損傷が生じたり、或いは搬送中に印刷媒体自体がジャムで損傷し、前記ＲＦＩＤタグも同時に損傷する場合もある。
【０００６】
このような場合、印刷前、或いは、印刷中に、一意のＩＤ情報を前記ＲＦＩＤタグに書き込みした後に、前述したようにＲＦＩＤが損傷すると、それらの一意のＩＤ情報は無駄になる。又、新たに印刷しなおした印刷媒体に対して、新たな前記ＲＦＩＤタグに、同じ内容を書き込みした上で該ＲＦＩＤタグを張り直す必要がある。
【０００７】
又、上記の場合と異なり、一意のＩＤ情報等が書き込みされたＲＦＩＤタグを印刷された印刷媒体に、貼付けすることも考えられる。しかし、この場合には、ヒューマンエラーにより、印刷媒体に印刷された内容と、前記ＲＦＩＤタグに下記まれている内容とが不一致となる虞がある。
【０００８】
本発明の目的は、印刷媒体に印刷エラーが生じた際にも、新たにＲＦＩＤタグに情報を書き込みする必要がないとともに、印刷媒体に対するＲＦＩＤタグの貼付け、印刷媒体の印刷後に行うため、熱損傷や或いは機械的損傷を受けることがないＲＦＩＤタグ自動貼付け印刷装置を提供することにある。
【課題を解決するための手段】
【０００９】
上記問題点を解決するために、請求項１に記載の発明は、印刷媒体に印刷データを印刷する印刷手段と、前記印刷手段が印刷した印刷媒体に対して、ＲＦＩＤタグを貼付けするタグ貼着手段と、前記印刷手段の印刷エラーを検出するエラー検出手段と、前記エラー検出手段が印刷エラーを検出した際には、前記タグ貼着手段での貼着を無効化するとともに、印刷エラーが生じていない場合には、前記タグ貼着手段によるＲＦＩＤタグの印刷媒体への貼着を行わせる制御手段とを備えたことを特徴とするＲＦＩＤタグ自動貼付け印刷装置を要旨とするものである。
【００１０】
請求項２の発明は、請求項１において、前記ＲＦＩＤタグに、少なくともＩＤ情報データを書き込みする書き込み手段を備え、前記制御手段は、前記エラー検出手段による印刷エラーの検出があるときには、前記書き込み手段による前記ＲＦＩＤタグに対する書き込みを無効化し、前記エラー検出手段による印刷エラーの検出がないときには、前記ＲＦＩＤタグに対するＩＤ情報データを書き込みを許容するとともに、前記タグ貼着手段によるＲＦＩＤタグの印刷媒体への貼着を行わせることを特徴とする。
【００１１】
請求項３の発明は、請求項２において、前記書き込み手段は、前記タグ貼着手段による印刷媒体に対するＲＦＩＤタグの貼着の後、前記印刷媒体に貼着されたＲＦＩＤタグに書き込み可能に配置されていることを特徴とする。
【００１２】
請求項４の発明は、請求項２において、前記書き込み手段は、前記タグ貼着手段による印刷媒体に対するＲＦＩＤタグの貼着される前に、ＲＦＩＤタグに書き込み可能に配置され、書き込みされたＲＦＩＤタグを前記タグ貼着手段が、印刷媒体に対して貼着可能に配置されていることを特徴とする。
【００１３】
請求項５の発明は、請求項１乃至請求項４のいずれか１項において、前記制御手段は、ＲＦＩＤタグの貼着指令の有無に応じて、印刷が終了した印刷媒体に対する前記タグ貼着手段の貼着作動の有効化、又は無効化を行うことを特徴とする。
【発明の効果】
【００１４】
請求項１の発明によれば、印刷エラーが生じた際には、ＲＦＩＤタグは印刷エラーにされた印刷媒体には貼着されることがないため、印刷媒体に印刷エラーが生じた際にも、新たにＲＦＩＤタグに情報を書き込みする必要がない。又、印刷媒体に対するＲＦＩＤタグの貼付け、印刷媒体の印刷後に行うため、熱損傷や或いは機械的損傷を受けることがない効果を奏する。
【００１５】
請求項２の発明によれば、印刷エラーが合ったときには、貼着されることがないＲＦＩＤタグに対して書き込み手段によるＩＤ情報データの書き込み作業を無くし、書き込み手段を無駄に動作させることがない効果を奏する。
【００１６】
請求項３の発明によれば、書き込み手段が、タグ貼着手段による印刷媒体に対するＲＦＩＤタグの貼着の後、印刷媒体に貼着されたＲＦＩＤタグに書き込み可能に配置されているＲＦＩＤタグ自動貼付け印刷装置に対して、請求項２の効果を容易に実現することができる。
【００１７】
請求項４の発明によれば、書き込み手段が、タグ貼着手段による印刷媒体に対するＲＦＩＤタグの貼着される前に、ＲＦＩＤタグに書き込み可能に配置されるとともに、書き込みされたＲＦＩＤタグをタグ貼着手段が、印刷媒体に対して貼着可能に配置されているＲＦＩＤタグ自動貼付け印刷装置に対して、請求項２の効果を容易に実現することができる。
【００１８】
請求項５の発明によれば、ＲＦＩＤタグの貼着指令の有無に応じて、印刷媒体にＲＦＩＤタグ付の印刷媒体とＲＦＩＤタグが貼着されない印刷媒体とを選択的に作成することができる。
【図面の簡単な説明】
【００１９】
【図１】本発明を具体化した第１実施形態のＲＦＩＤタグ自動貼付け印刷装置の概略図。
【図２】同じく制御ブロック図。
【図３】同じく制御部のフローチャート。
【図４】第２実施形態のＲＦＩＤタグ自動貼付け印刷装置の概略図。
【図５】同じく制御部のフローチャート。
【図６】第３実施形態の制御部のフローチャート。
【発明を実施するための形態】
【００２０】
（第１実施形態）
以下、本発明を具体化した第１実施形態のＲＦＩＤタグ自動貼付け印刷装置を図１〜３を参照して説明する。
【００２１】
図１に示すように、ＲＦＩＤタグ自動貼付け印刷装置（以下、印刷装置という）は、印刷部１００、タグ貼着部２００、及び書込み部３００とを備えている。印刷部１００は、印刷媒体カセット１０２、印刷処理部１０４、ピックアップローラ１０６、及び印刷媒体搬送路１０８Ａを備えている。
【００２２】
ここで、印刷部１００は印刷手段に相当し、タグ貼着部２００は、タグ貼着手段に相当し、書込み部３００は書き込み手段に相当する。
印刷処理部１０４は、本実施形態では、レーザプリントから構成されているが、印刷方式は限定されるものではなく、ドットプリンタ方式、インクジェット方式、熱溶融形、昇華方式、感熱式、熱転写方式のいずれの印刷方式であってもよい。
【００２３】
印刷媒体カセット１０２には、紙等からなる印刷媒体１１０が収納されている。印刷媒体１１０は、前記印刷方式に応じて選択されればよく、紙に限定されるものではなく、ＯＨＰ用のフィルム、剛性樹脂からなるシート、感光紙等の印刷可能なシートを含む。
【００２４】
ピックアップローラ１０６は、印刷媒体カセット１０２にストックされた印刷媒体１１０を印刷媒体搬送路１０８Ａに導く。印刷媒体搬送路１０８Ａは該印刷媒体１１０を印刷処理部１０４に送出する。印刷処理部１０４は、後述する制御部４００から送出された印刷データを印刷媒体１１０に対して印刷処理する。そして、印刷処理部１０４で印刷処理が終了した印刷媒体１１０は、印刷媒体搬送路１０８Ａを介して隣接するタグ貼着部２００に送出される。
【００２５】
又、印刷媒体搬送路１０８Ａ及び印刷処理部１０４には、印刷媒体１１０がジャム等により、送出できない際の印刷エラーを検出する検出器１２０が設けられている。検出器１２０は、エラー検出手段に相当する。検出器１２０は、前記ジャムが生じた場合の印刷媒体１１０の送出不良の検出に限定されるものではなく、例えば、印刷処理の制御エラーを検出するものでもよい。
【００２６】
タグ貼着部２００は、ロール部２０２、押圧部２０４、巻き取り回収部２０６及び印刷媒体搬送路１０８Ｂを備えている。ロール部２０２は、長尺の剥離紙２２２がロール状に巻かれている。ロール部２０２に巻かれた剥離紙２２２上には、多数のＲＦＩＤタグ２２０が、剥離紙２２２の長さ方向に亘って点列状にＲＦＩＤタグ２２０が剥離可能に貼着されている。なお、ロール部２０２の巻き取り径は、ＲＦＩＤタグ２２０を損傷しないような径となるように設定されている。又、各ＲＦＩＤタグ２２０の表面には粘着剤が塗布されている。ロール部２０２から延ばされた剥離紙２２２は、押圧部２０４を介して巻き取り回収部２０６にて巻き取りされる。すなわち、ロール部２０２及び巻き取り回収部２０６には図示しない駆動モータが設けられており、該駆動モータは後述する制御部４００にて駆動制御される。
【００２７】
タグ貼着部２００では、印刷が終了した印刷媒体１１０に対して、押圧部２０４により剥離紙２２２に貼着されたＲＦＩＤタグ２２０が剥離紙２２２側から押圧されることにより、押圧部２０４に送り込まれた該ＲＦＩＤタグ２２０の表面が印刷媒体１１０に接触され、このとき前記粘着剤により、ＲＦＩＤタグ２２０が前記印刷媒体１１０に貼着される。ＲＦＩＤタグ２２０が貼着された印刷媒体１１０は、印刷媒体搬送路１０８Ｂ，１０８Ｃにより書込み部３００へ移動される。
【００２８】
前記ＲＦＩＤタグ２２０は、数ｍｍ角程度の極めて小さく薄い無線通信ＩＣチップが内蔵されている。同チップ内には、メモリが設けられており、各種データの書き込み、読出しが可能である。すなわち、無線通信ＩＣチップは、該チップ内の前記メモリに格納された前記各種データを読出して外部に発信したり、外部からのデータを受信し、前記メモリ内に書き込みが可能である。
【００２９】
ＲＦＩＤタグ２２０の印刷媒体１１０に対する貼着場所は、印刷媒体１１０の被印刷領域から外れた印刷媒体１１０の端の部分が好ましい。
なお、本実施形態では、印刷媒体１１０の表面、すなわち、片面印刷の場合において、印刷される面に対してＲＦＩＤタグ２２０が貼着可能である。
【００３０】
書込み部３００には、ＲＦＩＤタグ２２０に対して各種データの書込み読出しが可能なリードアンドライタ３１０が設けられている。リードアンドライタ３１０は、制御部４００から送出された前記データをＲＦＩＤタグ２２０へ送り出し、或いは制御部４００へ送り返すＲＦＩＤ制御ＩＣからなる処理部、前記データをアンテナに乗せるためにデジタルデータをアナログデータに変換したり、逆にアンテナからのアナログデータをデシタルデータに変換する変換部等の公知の構成を備えている。
【００３１】
リードアンドライタ３１０は、印刷媒体１１０に貼着されたＲＦＩＤタグ２２０に対して、制御部４００から送出されたデータを書込み可能である。リードアンドライタ３１０で各種データが書き込まれると、印刷媒体搬送路１０８Ｃによりスタッカトレイ３５０へ印刷媒体１１０が排出される。
【００３２】
印刷媒体１１０に印刷データを印刷した後に、ＲＦＩＤタグに記録されるデータ（以下、記録データという）は、印刷された印刷媒体１１０を管理するためのＩＤ情報データとしての固有ＩＤを少なくとも含む。前記記録データとして、固有ＩＤ以外の情報（データ）としては、例えば今回の印刷ジョブを実行するに当たり、送られてきた印刷データ（コンテンツ）とともに、この印刷データが格納されていたデータベースでのファイル名、前記ファイルの管理者名、或いは、前記ファイル作者名、或いは、今回の印刷を指示した印刷者名のいずれか１つ、或いはいずれかを組み合わせがデータとして挙げられる。又、印刷日時、前記ファイルの作成日時等の履歴データを含んでいても良い。又、前記記録データとしては、印刷媒体に印刷された印刷データを構文解釈して出現頻度の多い語句（キーワード）でもよい。
【００３３】
次に、図２を参照して、印刷装置の電気的構成を説明する。
制御部４００は、ＣＰＵ４１０、ＲＯＭ４２０、ＲＡＭ４３０、ハードディスク等の記憶手段４４０を備えている。ＲＯＭ４２０には、印刷装置の各種制御を行うための各種プログラムが格納されている。ＲＡＭ４３０は、作業用メモリである。記憶手段４４０には、印刷データとなる各種データがファィル単位で格納されている。
【００３４】
制御部４００は、印刷部１００の印刷処理部１０４を制御する。具体的には、制御部４００は、単数枚葉、又は複数枚葉の印刷データを印刷部１００に対して送出し、当該印刷データを、単数枚葉は複数枚葉の印刷媒体１１０に印刷できるように、印刷媒体搬送路１０８Ａに設けられた複数の駆動モータ４１０を駆動制御する。なお、印刷媒体搬送路１０８Ａ〜１０８Ｃには、複数の駆動モータで印刷媒体１１０を搬送するようにされているが、図２では、説明の便宜上、代表して１つの駆動モータのブロック図で表わしている。
【００３５】
又、制御部４００は、タグ貼着部２００のロール部２０２、及び巻き取り回収部２０６の図示しない駆動モータ、並びに印刷媒体搬送路１０８Ｂの駆動モータ４１０を駆動制御し、印刷部１００で枚葉毎に印刷が終了した印刷媒体１１０を搬入して、ＲＦＩＤタグ２２０を貼着し、その後、書込み部３００へ該印刷媒体１１０を搬出制御する。
【００３６】
又、制御部４００は、書込み部３００及び印刷媒体搬送路１０８Ｃを制御し、タグ貼着部２００から送出された印刷媒体１１０のＲＦＩＤタグ２２０に対して、制御部４００から送出された各種データを記録する。そして、ＲＦＩＤタグ２２０に各種データを記録終了後、印刷媒体搬送路１０８Ｃの駆動モータ４１０を駆動制御することにより、印刷媒体１１０をスタッカトレイ３５０へ排出する。又、書込み部３００は、固有ＩＤ管理部３２０を備えている。固有ＩＤ管理部３２０は、印刷媒体１１０のＲＦＩＤタグ２２０に、同じものを付与しないために固有ＩＤを管理する。そして、リードアンドライタ３１０は、制御部４００から送出された各種データとともに、発行された固有ＩＤをＲＦＩＤタグ２２０に記録する。
【００３７】
（実施形態の作用）
さて、上記のように構成された印刷装置の作用を図３を参照して説明する。
制御部４００のＣＰＵ４１０は、操作者が図示しないキーボード等の入力操作部（図示しない）から印刷指令を受けると、該印刷指令により指定されたファィルの印刷データを記憶手段４４０、或いはＲＡＭ４３０から入手し、その印刷データを印刷部１００に出力する。
【００３８】
図３は、ＣＰＵ４１０が前記読み出した印刷データのうち、枚葉毎の印刷データを印刷媒体１１０に対して印刷する毎に実行するプログラムのフローチャートである。
Ｓ１０では、ＣＰＵ４１０は、検出器１２０からエラー検出の有無があったか否かを判定する。検出器１２０からエラー検出がない場合は、Ｓ２０においてＣＰＵ４１０は、印刷が終了したか否かを判定する。この印刷終了のＣＰＵ４１０の判定は、印刷処理部１０４から印刷媒体１１０が抜け出たことを検出する印刷終了確認センサ等からの検出信号に基づいて行う。
【００３９】
Ｓ２０において、当該印刷媒体１１０に対する印刷終了であることが確認された場合、ＣＰＵ４１０は、Ｓ３０において、タグ貼着部２００を制御し、印刷部１００から搬入されてきた印刷媒体１１０に対してＲＦＩＤタグ２２０を貼着し、ＲＦＩＤタグ２２０が貼着された印刷媒体１１０を書込み部３００に送出する。
【００４０】
この後、Ｓ４０では、ＣＰＵ４１０は、書込み部３００を制御し、送り込まれた印刷媒体１１０のＲＦＩＤタグ２２０に対して、制御部４００から送出された各種データ及び固有ＩＤ管理部３２０が発行した固有ＩＤを記録する。
【００４１】
従って、ＲＦＩＤタグに記録されるデータは、当該印刷媒体１１０を管理するための固有ＩＤを少なくとも含む記録データである。なお、操作者が入力操作部（図示しない）を操作し、印刷データに関連するものをデータとして、ＲＦＩＤタグ２２０に記録させないように印刷指令を設定した場合には、制御部４００では、前記印刷データに関連するものを送出しないが、書込み部３００では、印刷媒体１１０のＲＦＩＤタグ２２０に対して、固有ＩＤ管理部３２０が発行した固有ＩＤを記録する。この後、ＣＰＵ４１０はリードアンドライタ３１０にてデータの書込みが終了した印刷媒体１１０を、印刷媒体搬送路１０８Ｃを制御して、スタッカトレイ３５０に排出する。
【００４２】
又、Ｓ１０において、ＣＰＵ４１０は、検出器１２０の印刷エラーの有無の判定において、検出器１２０からエラー検出がある場合は、Ｓ５０において、エラー報知を行い、このフローチャートの処理を終了する。この場合、ＣＰＵ４１０は、検出器１２０からのエラー検出が解除されるまで、待機する。
【００４３】
又、Ｓ４０を介して、このフローチャートを一旦終了した場合には、このフローチャートの終了後、印刷終了した枚葉数がカウントされ、そのカウント値が前記印刷指令の印刷枚葉数と一致した場合は、この印刷処理を終了し、一致しない場合は、前記印刷指令の印刷枚葉数と一致するまでこのフローチャートの処理を制御部４００は繰り返す。
【００４４】
さて、本実施形態では下記の特徴がある。
（１）  本実施形態の印刷装置は、印刷媒体に印刷データを印刷する印刷部１００（印刷手段）と、印刷部１００が印刷した印刷媒体１１０に対して、ＲＦＩＤタグ２２０を貼付けするタグ貼着部２００（タグ貼着手段）と、印刷部１００の印刷エラーを検出する検出器１２０（エラー検出手段）とを備えている。又、印刷装置は、検出器１２０（エラー検出手段）が印刷エラーを検出した際には、タグ貼着部２００（タグ貼着手段）での貼着を無効化するとともに、印刷エラーが生じていない場合には、タグ貼着部２００（タグ貼着手段）によるＲＦＩＤタグ２２０の印刷媒体１１０への貼着を行わせる制御部４００（制御手段）を備えている。
【００４５】
この結果、本実施形態の印刷装置は、印刷エラーが生じた際には、ＲＦＩＤタグ２２０は印刷エラーにされた印刷媒体１１０には貼着されることがないため、印刷媒体１１０に印刷エラーが生じた際にも、新たにＲＦＩＤタグ２２０に情報を書き込みする必要がない。又、印刷媒体１１０に対するＲＦＩＤタグ２２０の貼付け、印刷媒体の印刷後に行うため、熱損傷や或いは機械的損傷を受けることがない効果を奏する。
【００４６】
（２）  本実施形態の印刷装置は、ＲＦＩＤタグ２２０に、少なくとも固有ＩＤ（ＩＤ情報データ）を書き込みする書込み部３００（書き込み手段）を備えている。そして、本実施形態の印刷装置の制御部４００（制御手段）は、検出器１２０（エラー検出手段）による印刷エラーの検出があるときには、書込み部３００（書き込み手段）によるＲＦＩＤタグ２２０に対する書き込みを無効化し、検出器１２０による印刷エラーの検出がないときには、ＲＦＩＤタグ２２０に対する固有ＩＤ（ＩＤ情報データ）を書き込みを許容するとともにタグ貼着部２００によるＲＦＩＤタグ２２０の印刷媒体１１０への貼着を行わせる。
【００４７】
この結果、本実施形態の印刷装置によれば、印刷エラーが合ったときには、貼着されることがないＲＦＩＤタグ２２０に対してタグ貼着部２００による固有ＩＤの書き込み作業を無くし、タグ貼着部２００を無駄に動作させることがない効果を奏する。
【００４８】
（３）  本実施形態では、書込み部３００の位置は、タグ貼着部２００による印刷媒体１１０に対するＲＦＩＤタグ２２０が貼着された後、印刷媒体１１０に貼着されたＲＦＩＤタグに書き込み可能に配置されている。
【００４９】
この結果、本実施形態の印刷装置は、タグ貼着部２００による印刷媒体１１０に対するＲＦＩＤタグ２２０の貼着の後、書込み部３００が、印刷媒体１１０に貼着されたＲＦＩＤタグに書き込み可能に配置されている印刷装置に対して、上記（２）の効果を容易に実現することができる。
【００５０】
（第２実施形態）
次に、第２実施形態の印刷装置を図４、５を参照して説明する。なお、第１実施形態と同一構成については同一符号を付して、重複説明を省略し、第１実施形態と異なる構成を中心に説明する。
【００５１】
第２実施形態の印刷装置は、第１実施形態の構成中、書込み部３００が図４に示すように、ロール部２０２と、押圧部２０４との間に設けられており、押圧部２０４にて、ＲＦＩＤタグ２２０が印刷媒体１１０に押圧されて貼着される前に、書込み部３００のリードアンドライタ３１０により、第１実施形態の各種データ（固有ＩＤを含む）が書込み可能にされているところが異なっている。
【００５２】
第２実施形態の印刷装置の電気的なハード構成は、第１実施形態と同様に構成されている。
（第２実施形態の作用）
図５は、第２実施形態の印刷装置の制御部４００が実行するプログラムのフローチャートであり、Ｓ１０，Ｓ２０，Ｓ５０の処理は第１実施形態と同様であるため、説明を省略する。
【００５３】
Ｓ２０の処理の後、制御部４００のＣＰＵ４１０は、Ｓ６０において、まず、書込み部３００のリードアンドライタ３１０により書込み可能な位置に剥離紙２２２上のＲＦＩＤタグ２２０が位置するようにロール部２０２、巻き取り回収部２０６を駆動制御する。そして、書込み部３００のリードアンドライタ３１０により書込み可能な位置に剥離紙２２２上のＲＦＩＤタグ２２０が位置した状態で、該ＲＦＩＤタグ２２０に対して、第１実施形態と同様に、少なくとも固有ＩＤを含む記録データを書き込む。そして、次に、Ｓ７０では、第１実施形態のＳ３０と同様に、押圧部２０４にて剥離紙２２２上のＲＦＩＤタグ２２０が押圧されることにより、印刷部１００から送出された印刷媒体１１０に貼着される。この後、このフローチャートを一旦終了する。
【００５４】
Ｓ７０を介して、このフローチャートを一旦終了した場合には、このフローチャートの終了後、この印刷終了した枚葉数がカウントされ、そのカウント値が前記印刷指令の印刷枚葉数と一致した場合は、この印刷処理を終了し、一致しない場合は、前記印刷指令の印刷枚葉数と一致するまでこのフローチャートの処理を制御部４００は繰り返す。
【００５５】
又、Ｓ５０を介して、このフローチャートを一旦終了した場合には、ＣＰＵ４１０は、検出器１２０からのエラー検出が解除されるまで、待機する。
さて、本実施形態では下記の特徴がある。
【００５６】
（１）  本実施形態の印刷装置では、書込み部３００（書き込み手段）は、タグ貼着部２００（タグ貼着手段）による印刷媒体１１０に対するＲＦＩＤタグ２２０の貼着される前に、ＲＦＩＤタグ２２０に書き込み可能に配置され、書き込みされたＲＦＩＤタグ２２０をタグ貼着部２００が、印刷媒体１１０に対して貼着可能に配置されている。
【００５７】
この結果、本実施形態によれば、書込み部３００が、タグ貼着部２００による印刷媒体１１０に対するＲＦＩＤタグ２２０の貼着される前に、ＲＦＩＤタグに書き込み可能に配置されるとともに、書き込みされたＲＦＩＤタグをタグ貼着部２００が、印刷媒体に対して貼着可能に配置されているＲＦＩＤタグ自動貼付け印刷装置に対して、第１実施形態の（２）の効果を容易に実現することができる。
【００５８】
（第３実施形態）
次に、第３実施形態を図６を参照して説明する。第３実施形態のハード構成は第１実施形態と同一構成のため、同一構成については同一符号を付す。第３実施形態では、図６に示すように、ＣＰＵ４１０が実行するプログラムの処理の一部が異なっている。なお、第１実施形態のフローチャートと同一処理のステップには同一のステップ番号を付す。
【００５９】
本実施形態では、Ｓ２０の処理とＳ３０の処理ステップの間に、Ｓ２５の処理が追加されているところが、第１実施形態と異なっている。
Ｓ２５では、印刷指令に、ＲＦＩＤタグセット指令が含まれている否かをＣＰＵ４１０は判定する。ＲＦＩＤタグセット指令は、ＲＦＩＤタグを印刷媒体１１０に貼着する指令である。ＲＦＩＤタグセット指令は、貼着指令に相当する。ここで、ＲＦＩＤタグセット指令が印刷指令にセットされていない場合には、このフローチャートの処理を終了する。
【００６０】
又、ＲＦＩＤタグセット指令が印刷指令にセットされている場合には、Ｓ３０の処理を行う。
第３実施形態では、Ｓ２０又はＳ４０を介して、このフローチャートを一旦終了した場合には、このフローチャートの終了後、この印刷終了した枚葉数がカウントされ、そのカウント値が前記印刷指令の印刷枚葉数と一致した場合は、この印刷処理を終了し、一致しない場合は、前記印刷指令の印刷枚葉数と一致するまでこのフローチャートの処理を制御部４００は繰り返す。又、Ｓ５０を介して、このフローチャートを一旦終了した場合には、ＣＰＵ４１０は、検出器１２０からのエラー検出が解除されるまで、待機する。
【００６１】
従って、第３実施形態では、操作者が図示しない入力操作部を操作入力することにより、どの印刷媒体にＲＦＩＤタグ２２０を貼着するかを選択することができるものとなる。
（１）  本実施形態の印刷装置は、制御部４００（制御手段）は、ＲＦＩＤタグセット指令（貼着指令）の有無に応じて、印刷が終了した印刷媒体１１０に対するタグ貼着部２００（タグ貼着手段）の貼着作動の有効化、又は無効化を行う。この結果、本実施形態では、ＲＦＩＤタグの貼着指令の有無に応じて、印刷媒体１１０にＲＦＩＤタグ２２０付の印刷媒体１１０とＲＦＩＤタグ２２０が貼着されない印刷媒体１１０とを選択的に作成することができる。
【００６２】
例えば、印刷データが複数枚にわたるとき、１枚目のみのように特定の枚数目のみにＲＦＩＤタグを貼付けすることもできる。
○  なお、前記実施形態では、印刷媒体１１０の表面に対してＲＦＩＤタグ２２０を貼着するようにしたが、印刷媒体１１０の裏面、すなわち、片面印刷の場合において、印刷される面とは反対側の面に対してＲＦＩＤタグを貼付けしてもよい。
【００６３】
○  第３実施形態では、第１実施形態の構成を前提として、図６のフローチャートを実行するようにしたが、第３実施形態の構成を第２実施形態の構成に変更して、図６のフローチャートの処理を行うようにしてもよい。この場合も、第３実施形態と同様の効果を奏する。
【符号の説明】
【００６４】
１００…印刷部（印刷手段）、
１１０…印刷媒体、
１２０…検出器（エラー検出手段）、
２００…タグ貼着部（タグ貼着手段）、
２２０…ＲＦＩＤタグ、
３００…書込み部（書き込み手段）、
４００…制御部（制御手段）。
【図１】
2010231704.tif 000003
【図２】
2010231704.tif 000004
【図３】
2010231704.tif 000005
【図４】
2010231704.tif 000006
【図５】
2010231704.tif 000007
【図６】
2010231704.tif 000008